(57)【要約】【課題】ボタン浮かし棒の移動量を調整できるボタン保持装置とミシンを提供する。【解決手段】ボタン保持装置２０は上下動部材２０２、リンク２１０、対向部材２１８、軸部材２３０、ボタン浮かし棒、位置調整機構２９０を備える。上下動部材２０２は上下動可能であり、コロ２０４を備える。リンク２１０は回動可能に設ける。対向部材２１８は、リンク２１０の腕部２１４に固定する。軸部材２３０はリンク２１０の軸連結部２１２に連結し、前後動可能である。ボタン浮かし棒は軸部材２３０に連結する。下降する上下動部材２０２は、コロ２０４と対向部材２１８を介して、リンク２１０を左側面視時計回りに回動する。軸部材２３０とボタン浮かし棒は後方へ移動する。位置調整機構２９０が対向部材２３０の固定位置を上下方向に調整すると、下降するコロ２０４が対向部材２１８と接触する時機がずれる。故にボタン浮かし棒の移動量は変化する。【選択図】図７
2017064206.tif 000002
【特許請求の範囲】
【請求項１】
第一端部と、前記第一端部とは反対の第二端部と、前記第一端部と前記第二端部の間で延びる延設部とを有し、前記第一端部が上下動可能な押え腕と、
前記押え腕の前記第一端部に設け、前記延設部の延設方向と直交し且つ水平方向と平行な第一方向に隙間を空けて互いに対向し、少なくとも二つのボタン穴を含むボタンの周端部を、両側から挟んで保持する一対の保持部材と、
前記一対の保持部材の間に位置し且つ前記延設部の延設方向に延び、前記二つのボタン穴の間で前記ボタンに接触可能な接触部を有するボタン浮かし棒と、
前記押え腕の前記第一端部と前記ボタン浮かし棒を上下動する押え上げ機構と、
前記押え上げ機構による前記押え腕の前記第一端部の上下動に従い、前記ボタン浮かし棒を前記延設部の延設方向に移動する移動機構と
を備え、
前記移動機構は、前記ボタン浮かし棒を、前記接触部が前記二つのボタン穴の間に位置する作用位置と、前記作用位置より前記第二端部側に位置する退避位置との間で移動するボタン保持装置において、
前記移動機構は、
前記押え腕に対して前記延設部の延設方向に移動可能に連結し、前記延設方向に延びる軸部材と、
前記軸部材の一端部に設け、前記ボタン浮かし棒を連結する連結部と、
前記押え腕の前記第二端部に設け、且つ前記軸部材の他端部の上方に位置し、軸線方向が前記第一方向となる支持軸と、
一端部が前記支持軸に回動可能に連結し、他端部が前記軸部材の前記他端部に連結する軸連結部と、前記軸連結部の前記一端部から前記軸連結部と交差して延びる腕部とを有する第一リンク部材と、
を備え、
前記押え上げ機構は、
前記押え腕の前記延設部の上方で上下方向に移動可能であり、下方への移動により前記押え腕の前記第一端部を上方へ移動する上下動部材と、
前記上下動部材を駆動する駆動機構と、
前記上下動部材に設け、前記駆動機構の駆動による前記上下動部材の下方への移動に伴い、前記軸連結部が前記支持軸を中心に前記軸部材の前記一端部とは反対側へ回動する方向に、前記腕部を付勢可能な付勢部と
を備え、
前記付勢部が前記腕部を付勢する位置を上下方向に調整する付勢位置調整機構を備えたことを特徴とするボタン保持装置。
【請求項２】
前記付勢位置調整機構は、
前記腕部に対して前記第一方向に対向し、前記付勢部の移動経路に配置した対向部材と、
前記対向部材と前記腕部の何れか一方に設け、前記第一方向と、前記腕部の延びる方向とに交差する方向に長い長穴と、
前記対向部材と前記腕部の何れか他方に設け、前記長穴と対向する締結穴と、
前記長穴に挿通し、且つ前記締結穴に締結した締結部材と
を備えたことを特徴とする請求項１に記載のボタン保持装置。
【請求項３】
前記長穴は前記対向部材に設け、
前記締結穴は前記腕部に設けたことを特徴とする請求項２に記載のボタン保持装置。
【請求項４】
前記連結部に対する前記ボタン浮かし棒の連結位置を、上下方向に調整する第一調整機構を備えたことを特徴とする請求項１〜３の何れか一つに記載のボタン保持装置。
【請求項５】
前記連結部は、前記ボタン浮かし棒を固定し、且つ上下方向に延びる第一壁部を備え、
前記第一調整機構は、
前記ボタン浮かし棒に設け、上下方向に長い第一挿通穴と、
前記第一壁部に設け、前記第一挿通穴と対向する第一螺子穴と、
前記第一挿通穴に挿通し、且つ前記第一螺子穴に締結した第一螺子部材と
を備えたことを特徴とする請求項４に記載のボタン保持装置。
【請求項６】
前記ボタン浮かし棒の前記連結部に対する連結位置を、前記延設方向に調整する第二調整機構を備えたことを特徴とする請求項５に記載のボタン保持装置。
【請求項７】
前記連結部は、
前記第一壁部上端に設け、前記延設方向に延びる第二壁部と、
前記第二壁部に対向して接触する第三壁部と
を備え、
前記第二調整機構は、
前記第二壁部に設けられ、前記延設方向に長い第二挿通穴と、
前記第三壁部に設けられ、前記第二挿通穴と対向する第二螺子穴と、
前記第二挿通穴に挿通し、且つ前記第二螺子穴に締結した第二螺子部材と
を備えたことを特徴とする請求項６に記載のボタン保持装置。
【請求項８】
前記軸部材は、前記延設部よりも上方に配置したことを特徴とする請求項１〜７の何れか一つに記載のボタン保持装置。
【請求項９】
前記押え上げ機構は、
前記第一方向に延び、前記押え腕の前記第二端部を回動可能に支持する連結軸と、
前記上下動部材に対して前記延設方向に離間した位置で前記延設部に固定し、前記延設部の上方で前記第一方向に延びる当接部を有する固定部材と、
前記固定部材と前記上下動部材の間、且つ前記延設部の上方に位置し、前記第一方向に延びる固定軸と、
前記固定軸に回動可能に支持し、前記上下動部材の下端部に連結し、前記上下動部材の下方への移動に伴い前記当接部に下方から接触可能な回動部材と
を備え、
前記付勢部は、前記腕部に対して上方に位置することを特徴とする請求項１〜８の何れか一つに記載のボタン保持装置。
【請求項１０】
前記駆動機構は、
前記上下動部材に対して、前記水平方向と平行且つ前記第一方向と直交する第二方向に離間した位置に設けたモータと、
前記モータと前記上下動部材の間に設け、前記第一方向に延びる第一軸部と、
前記第一軸部と前記上下動部材の間で固定し、前記第一方向に延びる第二軸部と、
前記第一軸部に回動可能に支持し、前記第一軸部から突出する第一突出部を有する第一腕部材と、
前記モータの動力を、前記第一腕部材に伝達する動力伝達部と、
一端部が前記第一突出部の先端部に回動可能に連結する第二腕部材と、
前記第二軸部に回動可能に支持し、前記第二腕部材の他端部に回動可能に連結した部材であり、前記上下動部材に対して前記第二方向に移動可能に連結する接続部を有する第二リンク部材と
を備えたことを特徴とする請求項１〜９の何れか一つに記載のボタン保持装置。
【請求項１１】
前記モータは、
前記第一方向に延び特定範囲で回動する出力軸と、
前記出力軸に支持した駆動ギヤと
を備え、
前記動力伝達部は、
前記出力軸と前記第一軸部の間に設け、前記第一方向に延びる軸線を中心に回動可能な回動軸と、
前記回動軸の一端部に支持し、前記駆動ギヤと噛み合うギヤと、
前記ギヤと前記第一方向に並ぶ位置で前記回動軸に支持し、前記ギヤの回転に伴い前記軸線を中心に回動可能であり、回動方向に沿って前記回動軸との離間距離が変化するカム面を有するカム部材とを備え、
前記第一腕部材は、前記第一軸部から突出する方向に延び、先端部が前記カム面に対して摺動可能な第二突出部を備えたことを特徴とする請求項１０に記載のボタン保持装置。
【請求項１２】
請求項１〜１１の何れか一つに記載のボタン保持装置を備えたことを特徴とするミシン。
【発明の詳細な説明】
【技術分野】
【０００１】
本発明は、ボタン保持装置とミシンに関する。
【背景技術】
【０００２】
ミシンが備えるボタン保持装置は、少なくとも二つのボタン穴を有するボタンを保持する。ボタン保持装置はボタン浮かし棒を備える。ボタン浮かし棒の一端部は、水平方向に延び、二つのボタン穴の間でボタンに接触する。ミシンがボタンを布に縫い付ける時、糸は、ボタン浮かし棒をボタンに括るように、二つのボタン穴を交互に通る。ミシンがボタンを布に縫い付けた後、糸浮かし棒の一端部は、括った糸から抜け出す位置まで移動する。故に布に縫い付けたボタンの糸締りに余裕が生じる。
【０００３】
特許文献１に開示のミシンは、基台、一対の摘み足、立設板、回動体、軸棒、駆動腕、糸浮かし棒を備える。基台は前後方向に延びる。一対の摘み足は、基台の前端部に設け、ボタンを保持する。立設板は基体部の後部から上方に立設する。回動体は、立設板に対して右方から対向する板状部材である。回動体の上端部は、立設板に回動可能に連結する。軸棒は立設板の上方で左右方向に延びる。駆動腕は軸棒に設け、回動体に前方から接触する。駆動腕は、軸棒を中心に回動することで、回動体を回動する。糸浮かし棒は、ボタン浮かし棒の一例であり、回動体の下端部から基台に沿って前方へ延びる。糸浮かし棒の前端部は一対の摘み足に近接する。回動体が回動することで、糸浮かし棒は、作用位置と退避位置の間を前後動する。作用位置は、一対の摘み足が保持するボタンに糸浮かし棒の前端部を括り付ける糸浮かし棒の前後位置である。退避位置は、糸浮かし棒の前端部がボタンよりも後方にある糸浮かし棒の前後位置である。
【先行技術文献】
【特許文献】
【０００４】
【特許文献１】実開平３−７６５６７号公報
【発明の概要】
【発明が解決しようとする課題】
【０００５】
一対の摘み足が種々の大きさのボタンを保持する時がある。上記ミシンは、ボタン浮かし棒の移動量を調整する機構を有さない。故に、ボタン浮かし棒の移動量は、一対の摘み足が保持できる最大の大きさのボタンに対応した移動量になる。ボタン浮かし棒の移動量が増大するので、前後動するボタン浮かし棒は、特に退避位置から作用位置に移動する時にボタンに引っ掛かり易くなる可能性がある。
【０００６】
本発明の目的は、ボタン浮かし棒の移動量を調整できるボタン保持装置とミシンを提供することである。
【課題を解決するための手段】
【０００７】
本発明の請求項１に係るボタン保持装置は、第一端部と、前記第一端部とは反対の第二端部と、前記第一端部と前記第二端部の間で延びる延設部とを有し、前記第一端部が上下動可能な押え腕と、前記押え腕の前記第一端部に設け、前記延設部の延設方向と直交し且つ水平方向と平行な第一方向に隙間を空けて互いに対向し、少なくとも二つのボタン穴を含むボタンの周端部を、両側から挟んで保持する一対の保持部材と、前記一対の保持部材の間に位置し且つ前記延設部の延設方向に延び、前記二つのボタン穴の間で前記ボタンに接触可能な接触部を有するボタン浮かし棒と、前記押え腕の前記第一端部と前記ボタン浮かし棒を上下動する押え上げ機構と、前記押え上げ機構による前記押え腕の前記第一端部の上下動に従い、前記ボタン浮かし棒を前記延設部の延設方向に移動する移動機構とを備え、前記移動機構は、前記ボタン浮かし棒を、前記接触部が前記二つのボタン穴の間に位置する作用位置と、前記作用位置より前記第二端部側に位置する退避位置との間で移動するボタン保持装置において、前記移動機構は、前記押え腕に対して前記延設部の延設方向に移動可能に連結し、前記延設方向に延びる軸部材と、前記軸部材の一端部に設け、前記ボタン浮かし棒を連結する連結部と、前記押え腕の前記第二端部に設け、且つ前記軸部材の他端部の上方に位置し、軸線方向が前記第一方向となる支持軸と、一端部が前記支持軸に回動可能に連結し、他端部が前記軸部材の前記他端部に連結する軸連結部と、前記軸連結部の前記一端部から前記軸連結部と交差して延びる腕部とを有する第一リンク部材と、を備え、前記押え上げ機構は、前記押え腕の前記延設部の上方で上下方向に移動可能であり、下方への移動により前記押え腕の前記第一端部を上方へ移動する上下動部材と、前記上下動部材を駆動する駆動機構と、前記上下動部材に設け、前記駆動機構の駆動による前記上下動部材の下方への移動に伴い、前記軸連結部が前記支持軸を中心に前記軸部材の前記一端部とは反対側へ回動する方向に、前記腕部を付勢可能な付勢部とを備え、前記付勢部が前記腕部を付勢する位置を上下方向に調整する付勢位置調整機構を備えたことを特徴とする。駆動機構が上下動部材を上下動することで、付勢部が腕部を付勢する。第一リンク部材が回動し、軸連結部は、軸部材を、延設部の延設方向に沿って一端部から他端部に向かう方向に移動する。軸部材が移動することで、連結部は、ボタン浮かし棒の接触部を作用位置から退避位置まで移動できる。付勢位置調整機構が、付勢部による腕部を付勢する位置を上下方向に調整することで、第一リンク部材の回動時機は変化し、軸部材の移動量は変化する。故にボタン保持装置は、ボタン浮かし棒の移動量を調整できる。軸部材の移動量が変化することで、ボタン保持装置は、退避位置にあるボタン浮かし棒の位置をボタンの外径に対応した位置に調整できる。故にボタン保持装置は、ボタン浮かし棒が退避位置から作用位置に移動する時に接触部がボタンに引っ掛かることを抑制できる。
【０００８】
請求項２に係る発明のボタン保持装置は、請求項１に記載の発明の構成に加え、前記付勢位置調整機構は、前記腕部に対して前記第一方向に対向し、前記付勢部の移動経路に配置した対向部材と、前記対向部材と前記腕部の何れか一方に設け、前記第一方向と、前記腕部の延びる方向とに交差する方向に長い長穴と、前記対向部材と前記腕部の何れか他方に設け、前記長穴と対向する締結穴と、前記長穴に挿通し、且つ前記締結穴に締結した締結部材とを備えたことを特徴とする。付勢部が対向部材を介して腕部を付勢することで、第一リンク部材は回動し、ボタン浮かし棒は作用位置から退避位置まで移動する。作業者は、締結部材を締結穴から外れない程度に緩め、対向部材の配置位置を上下方向に調整するだけで、付勢部が腕部を付勢する位置を上下方向に調整できる。作業者は、対向部材の配置位置を調整した後、締結部材を締結穴に締結するだけで、対向部材を腕部に固定できる。故にボタン保持装置は、ボタン浮かし棒の移動量を調整する作業を容易化できる。
【０００９】
請求項３に係る発明のボタン保持装置は、請求項２に記載の発明の構成に加え、前記長穴は前記対向部材に設け、前記締結穴は前記腕部に設けたことを特徴とする。作業者は、対向部材の上下方向の配置位置を調整する時、締結部材を上下動することを要しない。故にボタン保持装置は、ボタン浮かし棒の移動量を調整する作業を更に容易化できる。
【００１０】
請求項４に係る発明のボタン保持装置は、請求項１〜３の何れか一つに記載の発明の構成に加え、前記連結部に対する前記ボタン浮かし棒の連結位置を、上下方向に調整する第一調整機構を備えたことを特徴とする。一対の保持部材が種々の厚さのボタンを保持する時でも、第一調整機構は、ボタンの厚さに応じて、ボタン浮かし棒の配置位置を上下方向に調整できる。故にボタン保持装置は、ボタン浮かし棒の高さを、種々の厚さのボタンに応じた高さに調整できる。
【００１１】
請求項５に係る発明のボタン保持装置は、請求項４に記載の発明の構成に加え、前記連結部は、前記ボタン浮かし棒を固定し、且つ上下方向に延びる第一壁部を備え、前記第一調整機構は、前記ボタン浮かし棒に設け、上下方向に長い第一挿通穴と、前記第一壁部に設け、前記第一挿通穴と対向する第一螺子穴と、前記第一挿通穴に挿通し、且つ前記第一螺子穴に締結した第一螺子部材とを備えたことを特徴とする。作業者は、第一螺子部材を第一螺子穴から外れない程度に緩めるだけで、ボタン浮かし棒の配置位置を上下方向に調整できる。作業者が、ボタン浮かし棒の配置位置を調整した後、第一螺子部材を第一螺子穴に締結するだけで、ボタン浮かし棒を第一壁部に固定できる。故にボタン保持装置は、ボタン浮かし棒の配置位置を上下方向に調整する作業を容易化できる。
【００１２】
請求項６に係る発明のボタン保持装置は、請求項５に記載の発明の構成に加え、前記ボタン浮かし棒の前記連結部に対する連結位置を、前記延設方向に調整する第二調整機構を備えたことを特徴とする。第二調整機構は、ボタンの大きさに応じて、ボタン浮かし棒の退避位置を適正な位置に調整できる。故にボタン保持装置は、ボタン浮かし棒の移動を安定化できる。
【００１３】
請求項７に係る発明のボタン保持装置は、請求項６に記載の発明の構成に加え、前記連結部は、前記第一壁部上端に設け、前記延設方向に延びる第二壁部と、前記第二壁部に対向して接触する第三壁部とを備え、前記第二調整機構は、前記第二壁部に設けられ、前記延設方向に長い第二挿通穴と、前記第三壁部に設けられ、前記第二挿通穴と対向する第二螺子穴と、前記第二挿通穴に挿通し、且つ前記第二螺子穴に締結した第二螺子部材とを備えたことを特徴とする。作業者は、第二螺子部材を第二螺子穴から外れない程度に緩めた後、第二壁部を延設方向に移動するだけで、ボタン浮かし棒が作用位置にある時の接触部の位置を延設方向に調整できる。故に、ボタン保持装置は、作用位置にあるボタン浮かし棒の接触部が二つのボタン穴の間に確実に位置するよう調整できる。作業者は、ボタン浮かし棒の位置を調整した後、第二螺子部材を第二螺子穴に締結するだけで、第二壁部を第三壁部に固定できる。故にボタン保持装置は、ボタン浮かし棒の延設方向の位置を調整する作業を容易化できる。
【００１４】
請求項８に係る発明のボタン保持装置は、請求項１〜７の何れか一つに記載の発明の構成に加え、前記軸部材は、前記延設部よりも上方に配置したことを特徴とする。延設部の下方にある空間は、軸部材が延設部の下方にある時に比べ、大きくなる。故にボタン保持装置は、ボタンを縫い付ける布を延設部の下方に配置し易くできる。
【００１５】
請求項９に係る発明のボタン保持装置は、請求項１〜８の何れか一つに記載の発明の構成に加え、前記押え上げ機構は、前記第一方向に延び、前記押え腕の前記第二端部を回動可能に支持する連結軸と、前記上下動部材に対して前記延設方向に離間した位置で前記延設部に固定し、前記延設部の上方で前記第一方向に延びる当接部を有する固定部材と、前記固定部材と前記上下動部材の間、且つ前記延設部の上方に位置し、前記第一方向に延びる固定軸と、前記固定軸に回動可能に支持し、前記上下動部材の下端部に連結し、前記上下動部材の下方への移動に伴い前記当接部に下方から接触可能な回動部材とを備え、前記付勢部は、前記腕部に対して上方に位置することを特徴とする。上下動部材が下方に移動すると、ボタン浮かし棒は作用位置から退避位置まで移動する。同時に、回動部材は、当接部に下方から接触して上方に付勢する。押え腕は連結軸を中心に待機回動位置まで回動する。待機回動位置は、第一端部が第二端部よりも上方にある押え腕の回動位置である。ボタン保持装置は、ボタン浮かし棒を作用位置から退避位置まで移動しながら、押え腕を待機回動位置まで回動する。故にボタン保持装置は、布に縫い付けたボタンを一対の保持部材から取外す作業を迅速化できる。
【００１６】
請求項１０に係る発明のボタン保持装置は、請求項１〜９の何れか一つに記載の発明の構成に加え、前記駆動機構は、前記上下動部材に対して、前記水平方向と平行且つ前記第一方向と直交する第二方向に離間した位置に設けたモータと、前記モータと前記上下動部材の間に設け、前記第一方向に延びる第一軸部と、前記第一軸部と前記上下動部材の間で固定し、前記第一方向に延びる第二軸部と、前記第一軸部に回動可能に支持し、前記第一軸部から突出する第一突出部を有する第一腕部材と、前記モータの動力を、前記第一腕部材に伝達する動力伝達部と、一端部が前記第一突出部の先端部に回動可能に連結する第二腕部材と、前記第二軸部に回動可能に支持し、前記第二腕部材の他端部に回動可能に連結した部材であり、前記上下動部材に対して前記第二方向に移動可能に連結する接続部を有する第二リンク部材とを備えたことを特徴とする。モータの駆動力が動力伝達部を介して第一腕部材に伝達すると、第一腕部材は第一軸部を中心に回動する。第一腕部材は、第二腕部材を介して、第二リンク部材を、第二軸部を中心に回動する。第二リンク部材は、上下動部材を上下方向に移動する。故にボタン保持装置は、モータの駆動力を、上下動部材が上下方向に移動する動力に安定して変換できる。
【００１７】
請求項１１に係る発明のボタン保持装置は、請求項１０に記載の発明の構成に加え、前記モータは、前記第一方向に延び特定範囲で回動する出力軸と、前記出力軸に支持した駆動ギヤとを備え、前記動力伝達部は、前記出力軸と前記第一軸部の間に設け、前記第一方向に延びる軸線を中心に回動可能な回動軸と、前記回動軸の一端部に支持し、前記駆動ギヤと噛み合うギヤと、前記ギヤと前記第一方向に並ぶ位置で前記回動軸に支持し、前記ギヤの回転に伴い前記軸線を中心に回動可能であり、回動方向に沿って前記回動軸との離間距離が変化するカム面を有するカム部材とを備え、前記第一腕部材は、前記第一軸部から突出する方向に延び、先端部が前記カム面に対して摺動可能な第二突出部を備えたことを特徴とする。モータの駆動力は、駆動ギヤを介してギヤに伝達する。ギヤ、回動軸、カム部材は、軸線を中心に一体的に回動する。カム部材が回動することで、第二突出部がカム面に対して摺動し、第一腕部材は第一軸部を中心に回動する。故にボタン保持装置は、モータの駆動力を第一腕部材に安定して伝達できる。
【００１８】
請求項１２に係る発明のミシンは、上記ボタン保持装置を備えたことを特徴とする。ミシンは上記ボタン保持装置と同様の効果を奏する。
【図面の簡単な説明】
【００１９】
【図１】ミシン１の斜視図。
【図２】ミシン本体１０の斜視図。
【図３】ボタン保持装置２０の斜視図。
【図４】押え上げ機構３５０の斜視図。
【図５】押え腕６０の先端部６３近傍の斜視図。
【図６】保持機構３０の斜視図。
【図７】縫製姿勢のボタン保持装置２０の左側面図。
【図８】待機姿勢のボタン保持装置２０の左側面図。
【図９】ボタン浮かし棒２６０が作用位置から退避位置に移動する流れを示す説明図。
【図１０】正面視での位置調整機構２９０の断面図（対向部材２１８：上端位置）。
【図１１】正面視での位置調整機構２９０の断面図（対向部材２１８：下端位置）。
【図１２】右側面視での高さ調整機構２０１の断面図。
【図１３】待機姿勢のボタン保持装置２０の別の左側面図。
【図１４】ボタン浮かし棒２６０が退避位置から作用位置に移動する流れを示す説明図。
【図１５】左側面視での前後位置調整機構３９０の断面図。
【発明を実施するための形態】
【００２０】
本発明の実施形態を説明する。以下説明は図中に矢印で示す左右、前後、上下を使用する。
【００２１】
図１、図２を参照しミシン１の全体構造を説明する。ミシン１は、布にボタン７，８（図５、図１４参照）を縫い付けるボタン付けミシンである。ミシン１はミシン本体１０、テーブル１８、制御装置１７、操作盤（図示略）、足踏みペダル１９、電源スイッチ（図示略）等を備える。ミシン本体１０、操作盤はテーブル１８上に配置する。制御装置１７、足踏みペダル１９、電源スイッチはテーブル１８下方に配置する。操作盤は表示部と操作スイッチを備える。
【００２２】
足踏みペダル１９は作業者が足で操作するペダルであり、制御装置１７に対する各種指示を入力可能な操作部である。ミシン本体１０はベッド部２、脚柱部３、アーム部４、ボタン保持装置２０等を備える。
【００２３】
ベッド部２は前後方向に延び、内部に垂直釜（図示略）等を備える。垂直釜は下糸（図示略）を巻回したボビンケースを収容する。ベッド部２は針板４０を備える。針板４０は略中央部に針穴（図示略）を有する。脚柱部３はベッド部２後側から上方に延び、内部にミシンモータ（図示略）を備える。
【００２４】
アーム部４は脚柱部３上端からベッド部２と略平行に前方に延び、内部に主軸（図示略）を備える。主軸はミシンモータで駆動する。アーム部４の前端部５はアーム部４の他部位よりも下方へ突出する。前端部５は内部に針棒６を上下動可能に支持する。針棒６は前端部５下端から下方へ延びる。縫針９は針棒６下端に着脱可能であり、針棒６と共に主軸の駆動で上下方向に駆動する。縫針９は下端部に目孔を備える。縫針９は目孔に上糸１３（図９参照）を挿通して保持する。
【００２５】
前端部５は左側面下部に支持部材７０を固定する。支持部材７０は前端部５から下方に延び、右方へ折れ曲がる。支持部材７０は右端部に軸部７２を支持する。軸部７２は糸払い７４を回動可能に支持する。糸払い７４は、正面視逆Ｌ字状であり、軸部７２から下方へ延びる部位と軸部７２から左方へ延びる部位を備える。糸払い７４下端部は針板４０上方に位置する。糸払い７４が回動することで、糸払い７４下端部は上糸１３を引掛け、針板４０下方にある上糸１３を針板４０上方に引き出す。糸払い７４左端部はリンク部材７５（図３参照）と連結する。図３に示す如く、リンク部材７５は上下方向に延び、前端部５はリンク部材７５を上下動可能に支持する。リンク部材７５上端部は、前端部５内部で回動部材７６に連結する。回動部材７６は、アーム部４内部で前後方向に延びる連結棒７７を介して、後述の糸払い腕４４０に連結する。
【００２６】
ミシン１はベッド部２の内部に糸切機構（図示略）を備える。糸切機構は固定刃と可動刃を備える。固定刃は針板４０の下側に設ける。可動刃は固定刃に対して可動する。糸切機構は、ベッド部２内部に設けた糸切ソレノイド（図示略）に連結する。ミシン１の縫製動作終了後、糸切ソレノイドが糸切機構を駆動することで、糸切機構は上糸１３と下糸を切断する。
【００２７】
図３、図４を参照しボタン保持装置２０の構成を説明する。ボタン保持装置２０は、針板４０の針穴の上方で、ボタン７，８を保持する。ボタン７の外径は、ボタン８の外径よりも小さく、ボタン７の厚さは、ボタン８の厚さよりも厚い。ボタン７は一対の穴部７Ａ（図１４参照）を備え、ボタン８は一対の穴部８Ａ（図６、図９参照）を備える。
【００２８】
ボタン保持装置２０は、縫製姿勢（図７参照）と待機姿勢（図８参照）に変位する。縫製姿勢は、ミシン１の縫製動作時におけるボタン保持装置２０の姿勢である。待機姿勢は、ミシン１の縫製動作開始前と縫製動作終了後におけるボタン保持装置２０の姿勢である。以下、ボタン保持装置２０の構成の説明は、ボタン保持装置２０が縫製姿勢にある場合とする。
【００２９】
ボタン保持装置２０は送り台５０、揺動モータ（図示略）、軸連結部５９（図７参照）、ラック軸５５、送りモータ（図示略）、送り板１１、押え腕６０、保持機構３０、押え上げ機構３５０、移動機構２０５等を備える。
【００３０】
送り台５０は、ベッド部２内部に設けた案内機構（図示略）に前後方向に移動可能に連結する。送り台５０は基部５２、二つの軸支部５４を備える。基部５２は平面視で略矩形状であり、ベッド部２上方にある。基部５２後端部は縦軸部（図示略）に連結する。揺動モータはベッド部２内部に設け、揺動機構（図示略）を介して送り台５０に連結する。揺動モータが揺動機構を駆動すると、送り台５０は縦軸部を中心に揺動する。二つの軸支部５４は、夫々、基部５２の左右方向両端部から上方に突出する。図３、図４では、二つの軸支部５４の一方のみを図示する。二つの軸支部５４は、後述の連結軸６８を回動可能に支持する。
【００３１】
軸連結部５９は、縦軸部の上端部に連結した前後方向に延びる円筒状である。ラック軸５５は前後方向に延び、脚柱部３の前壁部に設けた孔３Ａ（図２参照）に挿通する。ラック軸５５前端部は軸連結部５９内側に挿入して固定する。ラック軸５５後端部は脚柱部３内部にある。ラック軸５５は、上面の前後方向中央部に歯部５６を備える。送りモータは脚柱部３内部に設ける。送りモータは、出力軸（図示略）に小歯車（図示略）を固定する。小歯車は歯部５６と噛合する。送りモータが駆動すると、ラック軸５５と送り台５０は前後方向に移動する。
【００３２】
送り板１１は、基部５２よりも前方で送り台５０上面に固定する。送り板１１は平面視で略矩形状であり、前端部に貫通穴１２（図５参照）を有する。貫通穴１２は、針板４０の針穴に上方から対向する。縫針９は縫製時に下降して貫通穴１２を通り、針板４０の針穴に達する。
【００３３】
押え腕６０は送り台５０に設ける。押え腕６０は送り台５０と共に前後方向に移動する。押え腕６０は基端部６１、延設部６２（図５参照）、先端部６３を備える。基端部６１は後述の連結軸６８を連結する。延設部６２は基端部６１から前方へ延びる。先端部６３は平面視で略矩形状であり、延設部６２の前端部に有する。先端部６３は送り板１１の貫通穴１２よりも後方にある。以下、延設部６２の延設方向を特定延設方向と称す。ボタン保持装置２０が縫製姿勢である時、特定延設方向は前後方向と平行である。
【００３４】
図５、図６を参照し、保持機構３０を説明する。保持機構３０は、固定台３１、一対の段螺子２９、左保持部材３２、右保持部材３３、指ガード３５、位置決め部材３９等を備える。固定台３１は平面視で略矩形状の板状であり、押え腕６０の先端部６３下面に固定する。固定台３１は先端部６３よりも前方へ突出する。固定台３１は、二つの螺子穴３１Ａと長穴３１Ｂを備える。二つの螺子穴３１Ａは、固定台３１後端部に形成し、左右方向に並ぶ。長穴３１Ｂは、二つの螺子穴３１Ａよりも前方に形成し、前後方向に長径を有する。
【００３５】
一対の段螺子２９は夫々、下方から一対の螺子穴３１Ａに締結する。一対の段螺子２９は夫々、頭部（図示略）と軸部２９Ａを備える。頭部は固定台３１の下方にある。軸部２９Ａは螺子穴３１Ａに締結する。
【００３６】
左保持部材３２はボタン８の周端部左部を保持する部材であり、固定台３１下方に設ける。左保持部材３２は、一対の段螺子２９のうち左方にある段螺子２９が挿通し、回動可能である。左保持部材３２は対向部３２Ａ、傾斜部３２Ｂ、保持部３３Ｃを備える。対向部３２Ａは、固定台３１左端部に下方から対向する板状であり、前後方向に延びる。対向部３２Ａ後端部は、段螺子２９の頭部と固定台３１の間にあり、軸部２９Ａに回動可能である。傾斜部３２Ｂは、対向部３２Ａ前端部から前下方へ延びる板状である。保持部３２Ｃは、傾斜部３２Ｂ前端部に接続し、平面視で略扇形状である。保持部３２Ｃは、ボタン８の周端部左部を保持可能である。
【００３７】
右保持部材３３はボタン８の周端部右部を保持する部材であり、固定台３１よりも下方に設ける。右保持部材３３は、一対の段螺子２９のうち右方にある段螺子２９が挿通し、回動可能である。右保持部材３３の形状は、左保持部材３２に対して左右対称な形状である。右保持部材３３は、対向部（図示略）、傾斜部３３Ｂ、保持部３３Ｃを備える。右保持部材３３の対向部は、左保持部材３２の対向部３２Ａに対応する。同様に、傾斜部３３Ｂは傾斜部３２Ｂに、保持部３３Ｃは保持部３２Ｃに夫々対応する。保持部３３Ｃは、保持部３２Ｃと左右方向に隙間を空けて対向し、ボタン８の周端部右部を保持可能である。
【００３８】
指ガード３５は、固定台３１の前部から前方に突出する管状部材であり、平面視で左右方向に長径を有する長円状である。縫針９は指ガード３５の内側を通る。指ガード３５は作業者の指と縫針９の接触を防止する。
【００３９】
位置決め部材３９は、背面視で前後方向に延びる略矩形状であり、前端部が傾斜部３２Ｂ、３３Ｂと同様に前下方に延びる。位置決め部材３９の前端部は、保持部３２Ｃ，３３Ｃと略同一高さにあり、ボタン８の前後方向の位置決めをする。位置決め部材３９は、後端部に挿通穴（図示略）を備える。挿通穴は、固定台３１の長穴３１Ｂに対向する。位置決め部材３９は長穴３１Ｂの範囲内で前後方向に移動可能である。
【００４０】
操作部３８は前後方向に延びる。操作部３８は左保持部材３２、右保持部材３３、位置決め部材３９の下側に位置する。操作部３８の後端部は位置決め部材３９の後端部下面と連結する。操作部３８は螺子穴（図示略）を備え、位置決め部材３９の挿通穴、固定台３１の長穴３１Ｂに対向する。調整螺子４９が長穴３１Ｂ、位置決め部材３９の挿通穴に挿通し螺子穴に締結することで、位置決め部材３９は固定台３１下面に対し位置決めできる。操作部３８は、位置決め部材３９と共に前後方向に移動可能である。操作部３８は、位置決め部材３９に対して左右両側で、左保持部材３２と右保持部材３３に係合する。操作部３８が前後方向に移動することで、左保持部材３２と右保持部材３３は軸部２９Ａを中心に互いに反対方向に回動する。保持部３２Ｃ，３３Ｃはボタン７，８の周端部を左右方向に沿って両側から挟んで保持できる。保持機構３０に装着したボタン７，８は、針板４０の針穴の上方に位置する。
【００４１】
図４、図５、図７を参照し、押え上げ機構３５０を説明する。押え上げ機構３５０は押え腕６０の先端部６３を上下動する機構である。押え上げ機構３５０は連結軸６８、上下動部材２０２、コロ支持軸２０３、コロ２０４、押え腕揺動機構３００を備える。連結軸６８は左右方向に延び、送り台５０の二つの軸支部５４は連結軸６８を回動可能に支持する。連結軸６８は押え腕６０の基端部６１を回動可能に支持する。故に押え腕６０は連結軸６８を中心に揺動可能である。押え腕６０の揺動に伴い、先端部６３は上下動する。
【００４２】
上下動部材２０２はアーム部４から下方に突出する棒状部材であり、押え腕６０の基端部６１の上方にある。上下動部材２０２上端部は、アーム部４内部で、後述の駆動機構４００（図３参照）に連結する。上下動部材２０２は、一定範囲で上下動可動である。上下動部材２０２の移動量は、図７、図８、図１３で示す寸法Ｎに対応する。以下、上下動部材２０２の可動範囲の上端位置を最上位位置（図７参照）と称し、可動範囲の下端位置を最下位位置（図８、図１３参照）と称す。
【００４３】
図４に示す上下動部材２０２は長穴２０２Ａ（図３参照）、下切欠部２０２Ｂ、嵌合軸（図示略）を備える。長穴２０２Ａは、上下動部材２０２の外周面上部に形成し、左側面視で左右方向に延びる矩形状である。下切欠部２０２Ｂは、上下動部材２０２の下端の左右方向中心部を上方へ切り欠く。嵌合軸は下切欠部２０２Ｂの内側に固定し、左右方向に沿う軸部材である。
【００４４】
コロ支持軸２０３は、上下動部材２０２の下部から左方へ突出する。コロ２０４は、コロ支持軸２０３に挿通して支持する円筒状の部材である。コロ２０４は上下動部材２０２と共に上下動する。
【００４５】
図４、図７を参照し、押え腕揺動機構３００を説明する。押え腕揺動機構３００は、支持部３０２、固定軸３０９、回動部材３２０、固定部材３３０を備える。支持部３０２はアーム部４部から下方に延び、押え腕６０の延設部６２上方にある。
【００４６】
固定軸３０９は支持部３０２の下端部から左方に突出する。固定軸３０９は延設部６２上方にあり、回動部材３２０を支持する。回動部材３２０は、固定軸３０９を中心に回動可能な板状部材である。回動部材３２０は固定軸３０９と直交する方向に延びる。回動部材３２０は、後端部に切欠孔（図示略）を備える。切欠孔は、回動部材３２０後端を前方へ切欠き、且つ回動部材３２０を左右方向に貫通する。切欠孔は回動部材３２０の延設方向に長い長孔である。上述した上下動部材２０２の嵌合軸（図示略）は、切欠孔に対して、回動部材３２０の延設方向に移動可能に嵌る。故に上下動部材２０２の上下動に伴い、嵌合軸（図示略）は回動部材３２０を、固定軸３０９を中心に回動する。
【００４７】
固定部材３３０は、延設部６２から上方に延び、更に左方に折れ曲がる棒状である。固定部材３３０は、当接部３３１を備える。当接部３３１は回動部材３２０前端部の上方で左右方向に延びる。当接部３３１は、回動部材３２０と当接可能である。嵌合軸３３３は、固定部材３３０の後方で延設部６２から上方に延び、支持部３０２に嵌る。嵌合軸３３３は、支持部３０２と延設部６２の間に設けたコイルバネ（図示略）に挿通する。コイルバネは、延設部６２を介して押え腕６０を下方に付勢する。
【００４８】
図４〜図７を参照し、移動機構２０５を説明する。尚、図５では後述の螺子部材２５５（図６参照）の図示を省略し、図６では後述の第一連結部材２５１（図５参照）の図示を省略する。移動機構２０５は、押え腕６０の先端部６３の上下動に従い、後述のボタン浮かし棒２６０（図２５６参照）を、特定延設方向に移動する機構である。
【００４９】
移動機構２０５は、立設板２０６、支持軸２０７、リンク２１０、対向部材２１８、支持部材２２０、軸部材２３０、軸挿通部２３４、コイルバネ２３５、案内部２３６、連結部２５０（図５参照）、ボタン浮かし棒２６０（図５参照）等を備える。
【００５０】
図４、図７に示す如く、立設板２０６は押え腕６０の基端部６１から上方に立設する。支持軸２０７は立設板２０６の上端部から左方へ突出する。即ち支持軸２０７は基端部６１に設ける。支持軸２０７の軸線方向は左右方向である。リンク２１０は、支持軸２０７に連結し、支持軸２０７を中心に回動可能な側面視略Ｌ字型の板状部材である。リンク２１０は軸連結部２１２、腕部２１４を備える。軸連結部２１２は、支持軸２０７との連結部分から下方に延びる。腕部２１４は、支持軸２０７との連結部分、即ち軸連結部２１２の上端部から前方へ延びる。腕部２１４の前端部はコロ支持軸２０３下方にある。腕部２１４は前端部に締結穴２１５（図７参照）を備える。締結穴２１５は腕部２１４を左右方向に貫通する。
【００５１】
対向部材２１８は左側面視で矩形状の板状部材であり、腕部２１４前端部に左方から対向する。対向部材２１８は締結部材２８０で腕部２１４前端部に固定する。対向部材２１８はコロ２０４下方にある。対向部材２１８上端は、上下動するコロ２０４が通過する領域である移動経路２０４Ａ上にある。対向部材２１８はコロ２０４と接触可能である。対向部材２１８は長穴２１８Ａを備える。長穴２１８Ａは上下方向に長径を有する。即ち、長穴２１８Ａは、左右方向と腕部２１４が延びる方向の夫々に交差する方向に長径を有する。長穴２１８Ａは締結穴２１５に対向する。締結部材２８０は長穴２１８Ａに挿通し締結穴２１５に締結する。故に対向部材２１８は、腕部２１４左面に固定する。
【００５２】
対向部材２１８は上端位置と下端位置の間で移動可能である。上端位置は、長穴２１８Ａの下端部が締結穴２１５と対向する対向部材２１８の上下位置である。下端位置は、長穴２１８Ａの上端部が締結穴２１５と対向する対向部材２１８の上下位置である。図７では、上端位置にある対向部材２１８を実線で図示し、下端位置にある対向部材２１８を二点鎖線で図示する。対向部材２１８が下端位置と上端位置の何れの位置にある場合でも、対向部材２１８上端は腕部２１４上端よりも上側にある。以下、対向部材２１８、長穴２１８Ａ、締結穴２１５、締結部材２８０を総称する時、位置調整機構２９０と称す。
【００５３】
支持部材２２０は、平面視で左部が開口する矩形枠状の板状部材であり、押え腕６０の延設部６２の左側面後部に固定する。支持部材２２０は後壁部２２１、前壁部２２２、連結壁２２３を備える。後壁部２２１と前壁部２２２は、前後方向に隙間を空けて対向する。後壁部２２１と前壁部２２２は夫々、正面視で円形状の挿通孔（図示略）を備える。二つの挿通孔は前後方向に並ぶ。連結壁２２３は後壁部２２１と前壁部２２２の夫々の右端部を連結し、延設部６２の左側面後部に対向する。連結壁２２３は前後二つの螺子部材２２４で延設部６２の左側面後部に固定する。
【００５４】
軸部材２３０は前後方向に延び、支持部材２２０は軸部材２３０を支持する。軸部材２３０は後壁部２２１と前壁部２２２の夫々の挿通孔に挿通する。軸部材２３０の後端部２３１は、支持部材２２０よりも後方にあり、軸部材２３０の前端部２３２は支持部材２２０よりも前方にある。後端部２３１は、リンク２１０の軸連結部２１２の下端部に連結する。即ち、軸連結部２１２は、支持軸２０７の左端部と軸部材２３０の後端部２３１を連結する。
【００５５】
軸挿通部２３４は、後壁部２２１と前壁部２２２の間で、軸部材２３０に挿通して固定する。コイルバネ２３５は、後壁部２２１と軸挿通部２３４の間で軸部材２３０に挿通し、圧縮した状態で配置する。コイルバネ２３５は、軸挿通部２３４を介して軸部材２３０を前方へ付勢する。
【００５６】
図５に示す如く、案内部２３６は、押え腕６０の先端部６３に上方から固定し、先端部６３との間に隙間を空けて対向する。案内部２３６は上面に溝部２３８を備える。溝部２３８は平面視で前後方向に延びる矩形状である。案内部２３６は上面の溝部２３８左側に規制部材２３９を備える。規制部材２３９は案内部２３６の上面から上方に突出する略円柱状である。規制部材２３９は、コイルバネ２３５が軸部材２３０を前方へ付勢する時、連結部２５０の第二連結部材２５２の前側に当接し、軸部材２３０の前方への移動を規制する。
【００５７】
連結部２５０は、軸部材２３０に連結する。連結部２５０は第一連結部材２５１、第二連結部材２５２、第三連結部材２５３を備える。第一連結部材２５１は、案内部２３６の溝部２３８に前後方向に移動可能に嵌る板状部材である。第一連結部材２５１は、支持壁部２５１Ａと連結壁部２５１Ｂを備える。支持壁部２５１Ａは、溝部２３８に沿って後方から前方へ延び、更に前下方へ向けて屈曲する。連結壁部２５１Ｂは支持壁部２５１Ａの前端部から前方へ延びる。連結壁部２５１Ｂは螺子穴２５１Ｃを備える。第二連結部材２５２は平面視略Ｌ字状の板状部材である。第二連結部材２５２は、軸部材２３０の前端部２３２と支持壁部２５１Ａの後端部に連結する。
【００５８】
第三連結部材２５３は、第一連結部材２５１の連結壁部２５１Ｂに螺子部材２５５（図６参照）で連結する壁部である。第三連結部材２５３は連結壁部２５３Ａと支持壁部２５３Ｂを備える。連結壁部２５３Ａは前後方向に延び、第一連結部材２５１の連結壁部２５１Ｂに対して上方から対向して接触する。連結壁部２５３Ａは挿通穴２５３Ｃを有する。挿通穴２５３Ｃは、前後方向に長径を有する長穴である。挿通穴２５３Ｃは連結壁部２５１Ｂの螺子穴２５１Ｃに対向する。螺子部材２５５は挿通穴２５３Ｃに挿通し螺子穴２５１Ｃに締結する。故に第三連結部材２５３は第一連結部材２５１に連結する。支持壁部２５３Ｂは連結壁部２５３Ａの前端部から下方に延びる。支持壁部２５３Ｂは下端部に螺子穴２５３Ｄ（図６参照）を備える。
【００５９】
図５の第三連結部材２５３は中間位置にある。中間位置は、挿通穴２５３Ｃの中央部が螺子穴２５１Ｃに対向する第三連結部材２５３の前後位置である。以下、連結壁部２５１Ｂ，２５３Ａ、挿通穴２５３Ｃ、螺子穴２５１Ｃ、螺子部材２５５を総称する時、前後位置調整機構３９０（図６参照）と称す。
【００６０】
図６に示す如く、ボタン浮かし棒２６０は、螺子部材２９５で支持壁部２５３Ｂに連結する。ボタン浮かし棒２６０は湾曲部２６１、連結部２６２、接触部２６３を備える。湾曲部２６１は正面視逆Ｕ字状である。湾曲部２６１は内側に挿通穴２６１Ａを形成する。挿通穴２６１Ａは上下方向に長径を有する。挿通穴２６１Ａは前方から螺子穴２５３Ｄに対向する。螺子部材２９５が挿通穴２６１Ａに挿通して螺子穴２５３Ｄに締結することで、ボタン浮かし棒２６０は第三連結部材２５３に連結する。以下、支持壁部２５３Ｂ、螺子穴２５３Ｄ、挿通穴２６１Ａ、螺子部材２９５を総称する時、高さ調整機構２０１と称す。
【００６１】
連結部２６２は湾曲部２６１の左部下端から前下方へ延び、更に下方へ屈曲する。接触部２６３は連結部２６２下端部から前方へ延びる。接触部２６３は送り板１１の貫通穴１２上方にある。接触部２６３はボタン７，８上面に接触可能である。
【００６２】
図６に示すボタン浮かし棒２６０は下位置にある。下位置は、挿通穴２６１Ａ上端部が螺子穴２５３Ｄに対向するボタン浮かし棒２６０の上下位置である。ボタン保持装置２０が縫製姿勢である時、ボタン浮かし棒２６０は作用位置（図９（ａ）、図１４（ｂ）参照）にある。作用位置は、接触部２６３が一対の穴部７Ａ、又は一対の穴部８Ａの間にあるボタン浮かし棒２６０の前後位置である。ボタン浮かし棒２６０が作用位置にある時、接触部２６３前端は、一対の穴部７Ａ、一対の穴部８Ａよりも前方にある。
【００６３】
図３、図７を参照し、駆動機構４００を説明する。駆動機構４００は、リンク部材７５（図４参照）と上下動部材２０２を駆動する機構である。駆動機構４００は、支持部材４０２、モータ４０４、回動軸４０９、ギヤ４０８、糸払いカム（図示略）、第一軸部４１０、糸払い腕４４０、糸払いバネ４４５、カム部材４１６（図７参照）、第一腕部材４１３、押えバネ４４９、第二腕部材４２２、第二軸部４２０、リンク部材４３０等を備える。
【００６４】
支持部材４０２は、脚柱部３内部に固定した箱状部材である。支持部材４０２は上下動部材２０２よりも後方にある。支持部材４０２の上端部と前端部は開口する。モータ４０４は、支持部材４０２右面に固定する。モータ４０４の出力軸４０４Ａは左右方向に延び、支持部材４０２を貫通する。モータ４０４は、出力軸４０４Ａを特定範囲で往復回動する。モータ４０４は、出力軸４０４Ａの左端部に駆動ギヤ４０４Ｂを固定する。駆動ギヤ４０４Ｂは支持部材４０２内側にある。
【００６５】
回動軸４０９は、モータ４０４の出力軸よりも前方で、支持部材４０２内側にて回動可能な軸部材である。回動軸４０９は左右方向に延びる。ギヤ４０８は、回動軸４０９の右端部に設け、駆動ギヤ４０４Ｂと噛み合う。モータ４０４が出力軸４０４Ａを回動することで、回動軸４０９は回動する。
【００６６】
糸払いカム（図示略）は、回動軸４０９の左右方向中央部に固定する。糸払いカムはギヤ４０８と隙間を空けて左右方向に並ぶ。糸払いカムは、カム面（図示略）を有する。カム面は、回動軸４０９の軸線４０９Ａを中心とした左側面視時計回りに沿って、回動軸４０９との離間距離が漸減するように円弧状に延びる。
【００６７】
第一軸部４１０は、回動軸４０９よりも前方で支持部材４０２内側に固定し、左右方向に延びる。換言すると、第一軸部４１０は、モータ４０４と上下動部材２０２の間で左右方向に延びる。
【００６８】
糸払い腕４４０は、第一軸部４１０の左右方向略中央部で第一軸部４１０に回動可能である。糸払い腕４４０は摺動腕４４１と連結腕４４２を備える。摺動腕４４１は第一軸部４１０から後方へ延びる。摺動腕４４１は先端部に摺動部（図示略）を備える。摺動部は、糸払いカムのカム面に対して下方から接触する。連結腕４４２は第一軸部４１０から上方へ延びる。連結腕４４２上端部は、上述の連結棒７７後端部に回動可能に連結する。
【００６９】
糸払いバネ４４５は、支持部材４０２と摺動腕４４１を連結する。糸払いバネ４４５は糸払い腕４４０を左側面視時計回りに糸払いカムのカム面に向けて付勢する。故に糸払い腕４４０の摺動部は糸払いカムのカム面に安定して接触できる。
【００７０】
カム部材４１６は、糸払いカムとギヤ４０８の間で、回動軸４０９に固定する。即ちカム部材４１６は糸払いカムとギヤ４０８と左右方向に並ぶ。カム部材４１６はギヤ４０８と一体的に形成する。カム部材４１６はカム面４１７（図７参照）を備える。カム面４１７は、回動軸４０９の軸線４０９Ａを中心とした左側面視時計回り方向に沿って、回動軸４０９との離間距離が漸減するように円弧状に延びる。
【００７１】
第一腕部材４１３は、第一軸部４１０に回動可能である。第一腕部材４１３は第一突出部４１１、第二突出部４１２、摺動部４１４を備える。第一突出部４１１は第一軸部４１０から上方に突出する。第二突出部４１２は第一軸部４１０から後方に突出する。摺動部４１４は第二突出部４１２の先端部に設ける。摺動部４１４はカム面４１７に下方から接触する。
【００７２】
押えバネ４４９は支持部材４０２と第一突出部４１１を連結する。押えバネ４４９は、第一腕部材４１３を左側面視時計回りにカム面４１７に向けて付勢する。故に摺動部４１４はカム面４１７に安定して接触できる。第一腕部材４１３はカム部材４１６の回転に伴い、第一軸部４１０を中心に回動できる。
【００７３】
第二腕部材４２２は前後方向に延びる。第二腕部材４２２後端部は第一突出部４１１の先端部に回動可能に連結する。第二腕部材４２２の前端部は後述のリンク部材４３０に回動可能に連結する。
【００７４】
第二軸部４２０は、アーム部４内部に固定し、左右方向に延びる。第二軸部４２０は第一軸部４１０と上下動部材２０２の間で左右方向に延びる。第二軸部４２０はリンク部材４３０を回動可能に支持する。リンク部材４３０は第一腕部４３１と第二腕部４３２を備える。第一腕部４３１は第二軸部４２０の支持部分から下方に突出する。第一腕部４３１の先端部は、第二腕部材４２２の前端部に回動可能に連結する。第二腕部４３２は第二軸部４２０の支持部分から前方に延びる。第二腕部４３２の先端部は、上下動部材２０２の長穴２０２Ａ（図３参照）に連結する。
【００７５】
図２、図３、図５、図９（ａ）を参照し、ミシン１の縫製動作の概要を説明する。縫製動作開始前、ボタン保持装置２０は縫製姿勢（図７参照）でボタン８を保持する。ミシン１は揺動モータ、送りモータ、ミシンモータを同期して駆動する。押え腕６０は送り台５０と共に縦軸部（図示略）を中心に揺動し且つ前後方向に移動し、針棒６は押え腕６０の動作に同期して上下動する。縫針９は、一対の穴部８Ａの一方と他方を交互に通る。縫針９は、各穴部８Ａを通過する度に、布を貫通する。布を貫通した縫針９は、目孔が針穴の下方となる高さまで下降する。垂直釜が、ボビンケースから引出した下糸を、縫針９の保持する上糸１３に絡めた後、縫針９はボタン８の上方まで上昇する。
【００７６】
ミシン１は、上記動作を繰り返すことでボタン８を布に縫い付け、接触部２６３前端部をボタン８に括る（図９（ａ）参照）。揺動モータ、送りモータ、ミシンモータが駆動を停止した後、糸切ソレノイドが駆動し、糸切機構は下糸と上糸１３を切断する。ミシン１は縫製動作を終了する。
【００７７】
図３、図７〜図９を参照し、ボタン保持装置２０が縫製姿勢から待機姿勢に変位する動作を説明する。ボタン保持装置２０は、ミシン１が上述の縫製動作を実行した後に、待機姿勢に切り替わる。尚、対向部材２１８は上端位置（図７参照）にある。
【００７８】
図３、図７に示す如く、モータ４０４が駆動ギヤ４０４Ｂを左側面視反時計回りに回動することで、ギヤ４０８、回動軸４０９、糸払いカム（図示略）、カム部材４１６は、軸線４０９Ａを中心に左側面視時計回りに一体的に回動する。糸払いカムの回動に伴い、糸払い腕４４０は左側面視反時計回りに回動する。糸払いカムのカム面が摺動腕４４１に対して摺動し、糸払い腕４４０は左側面視時計回りに回動する。糸払い腕４４０は、連結棒７７と回動部材７６を介して、リンク部材７５を下降する。リンク部材７５の下降に伴い、糸払い７４は下端部が右方へ向かう方向へ回動する。故に糸払い７４下端部は、上糸１３を引掛る。糸払い７４は、針板４０下方にあった上糸１３を引き出す。
【００７９】
カム部材４１６の回動に伴い、カム面４１７が摺動部４１４に対して摺動することで、第二突出部４１２は左側面視反時計回りに回動する。第二突出部４１２は第二腕部材４２２を介してリンク部材４３０を左側面視時計回りに回動する。第二突出部４１２は上下動部材２０２を最上位位置から下方へ移動する。
【００８０】
上下動部材２０２が下降することで、上下動部材２０２の嵌合軸（図示略）は回動部材３２０を左側面視反時計回りに回動する。回動部材３２０の前端部は、当接部３３１に接触して当接部３３１を上方へ付勢する。故に押え腕６０が連結軸６８を中心に揺動し、先端部６３は上昇する。先端部６３の上昇に伴い、ボタン浮かし棒２６０は保持機構３０と共に上昇する。
【００８１】
嵌合軸が回動部材３２０を回動する時、上下動部材２０２の下降に伴い、コロ２０４が対向部材２１８上端に接触し対向部材２１８を下方へ付勢する。コロ２０４は、対向部材２１８を介して、腕部２１４を支持軸２０７を中心に左側面視時計回りに付勢して回動する。即ち、コロ２０４は、軸連結部２１２が支持軸２０７を中心に、軸部材２３０の前端部２３２とは反対側へ回動する方向に、腕部２１４を付勢して回動する。故に軸部材２３０は、コイルバネ２３５の付勢力に抗して後方へ移動する。
【００８２】
軸部材２３０の後方への移動に伴い、連結部２５０は、ボタン浮かし棒２６０と共に、溝部２３８（図５参照）に沿って後方へ移動する。ボタン浮かし棒２６０は作用位置（図９（ａ）参照）から後方へ移動する。
【００８３】
図８、図９（ｂ）に示す如く、上下動部材２０２が最下位位置に移動したとき、モータ４０４（図３参照）は駆動を停止し、ボタン保持装置２０は待機姿勢に変位する。ボタン保持装置２０が待機姿勢に変位した時、押え腕６０は、待機揺動位置に変位し（図８参照）、ボタン浮かし棒２６０は退避位置（図９（ｂ）参照）に移動する。待機揺動位置は、延設部６２が基端部６１から前上方に延びる押え腕６０の揺動位置である。即ち、ボタン保持装置２０が待機姿勢に変位すると、特定延設方向は、前後方向に対して傾斜する方向になる。退避位置は、作用位置よりも後方にあるボタン浮かし棒２６０の前後位置である。図９（ｂ）で示す退避位置にあるボタン浮かし棒２６０の接触部２６３は、ボタン８の周端部後部に接触する。ボタン浮かし棒２６０が退避位置に移動すると、接触部２６３は括った上糸１３から後方に抜け出す。故に、ボタン８を布に縫い付けた上糸１３は緩む。対向部材２１８が上端位置にある時、ボタン浮かし棒２６０の前後方向の移動量は、図９（ｂ）の寸法Ｌ１に相当する。
【００８４】
ボタン保持装置２０が待機姿勢に変位した時、作業者は保持機構３０が保持するボタン８を次のボタン８に交換できる。作業者が次のボタン８に交換した後、モータ４０４が駆動ギヤ４０４Ｂを左側面時計回りに回動し、上下動部材２０２は押えバネ４４９の付勢力で最下位位置から上昇する。回動部材３２０が左側面視時計回りに回動し、押え腕６０は待機揺動位置から左側面視時計回りに揺動する。先端部６３とボタン浮かし棒２６０は前記コイルバネの付勢力で下降する。また、リンク２１０は支持軸２０７を中心に左側面視反時計回りに回動し、軸部材２３０はコイルバネ２３５の付勢力で前方へ移動し、ボタン浮かし棒２６０は退避位置から作用位置に戻る。故にボタン保持装置２０は待機姿勢から縫製姿勢に戻る。
【００８５】
図６、図１０〜図１３を参照し、ボタン保持装置２０がボタン８に代えてボタン７を保持する時の、作業者が行う調整作業を説明する。調整作業前のボタン保持装置２０は、ボタン７，８を保持せず、且つ縫製姿勢にある。対向部材２１８は上端位置にあり、ボタン浮かし棒２６０は下位置にあり、第三連結部材２５３は中間位置にある。
【００８６】
調整作業の手順の一例を説明する。作業者は、対向部材２１８の腕部２１４に対する連結位置を上下方向に調整した後、ボタン浮かし棒２６０の第三連結部材２５３に対する連結位置を上下方向に調整する。保持機構３０がボタン７を保持した後、作業者は第三連結部材２５３の第一連結部材２５１に対する連結位置を前後方向に調整する。以下、各作業の詳細を説明する。
【００８７】
図１０、図１１を参照し、対向部材２１８の連結位置を調整する作業を説明する。作業者は締結部材２８０を締結穴２１５から脱落しない程度に緩める。締結部材２８０が長穴２１８Ａに挿通した状態で、対向部材２１８は上下動可能になる。作業者は、上端位置（図１０参照）にある対向部材２１８を、例えば下端位置（図１１参照）に移動する。作業者は、締結部材２８０を締結穴２１５に締結する。対向部材２１８は下端位置で腕部２１４に固定する。
【００８８】
図１２を参照し、ボタン浮かし棒２６０の連結位置を調整する作業を説明する。作業者は螺子部材２９５を螺子穴２５３Ｄから脱落しない程度に緩める。螺子部材２９５が挿通穴２６１Ａに挿通した状態で、下位置にあるボタン浮かし棒２６０は上方へ移動可能になる。作業者はボタン浮かし棒２６０の高さを、ボタン７の厚さに対応する高さに調整した後、螺子部材２９５を螺子穴２５３Ｄに締結する。接触部２６３がボタン７の上面に接触できる上下位置で、ボタン浮かし棒２６０は第三連結部材２５３に連結する。
【００８９】
図１３に示す如く、作業者がボタン浮かし棒２６０の上下位置を調整した後、モータ４０４が駆動し、上下動部材２０２は最上位位置から最下位位置に移動する。対向部材２１８が下端位置にあるので、コロ２０４が対向部材２１８に接触する時機は、対向部材２１８が上端位置にある時に比べ、遅くなる。故に、上下動部材２０２がリンク２１０を回動する回動量は減少し、ボタン浮かし棒２６０の前後方向における移動量は減少する。ボタン保持装置２０が待機姿勢に変位した時、モータ４０４は駆動を停止する。退避位置にあるボタン浮かし棒２６０は、対向部材２１８が上端位置にある場合に比べ、前方に位置する（図９（ｂ）、図１４（ａ）参照）。対向部材２１８が上端位置にある時の、ボタン浮かし棒２６０の前後方向の移動量は、図１４（ａ）の寸法Ｌ２に相当する。寸法Ｌ２は寸法Ｌ１（図９（ａ）参照）よりも短い。故に、保持機構３０にボタン８より外径の小さいボタン７を装着しても、退避位置にあるボタン浮かし棒２６０の接触部２６３がボタン７の周端部後部より後方に移動せず、ボタン７に確実に接触できる。
【００９０】
図１５を参照し、第三連結部材２５３の連結位置を調整する作業を説明する。尚、図１５はボタン保持装置２０が縫製姿勢である時の、前後位置調整機構３９０の断面図である。
【００９１】
作業者は螺子部材２５５を螺子穴２５１Ｃから外れない程度に緩める。螺子部材２５５が挿通穴２５３Ｃに挿通した状態で、作業者は第三連結部材２５３を中間位置から後方へ移動する。作業者は、作用位置にあるボタン浮かし棒２６０の接触部２６３の前端がボタン７の一対の穴部７Ａよりも前方となる位置で、螺子部材２５５を螺子穴２５１Ｃに締結する。故に作業者は、退避位置にあるボタン浮かし棒２６０の前後位置を、ボタン７の外径に対応した位置に調整できる。
【００９２】
作業者がボタン浮かし棒２６０の前後位置を調整した後、ミシン１は縫製動作を実行する。ミシン１はボタン７を布に縫い付ける。ミシン１は、作用位置にあるボタン浮かし棒２６０の接触部２６３を、ボタン７と共に上糸１３で括りつける（図示略）。縫製動作の実行後、ボタン保持装置２０は待機姿勢に変位し、接触部２６３は括った上糸１３から抜け出す。
【００９３】
以上説明した如く、駆動機構４００のモータ４０４が上下動部材２０２を上端位置から下端位置に移動することで、コロ２０４が腕部２１４を付勢し、リンク２１０が左側面視時計回りに回動する。リンク２１０の軸連結部２１２が軸部材２３０を後方へ移動することで、ボタン浮かし棒２６０は作用位置から退避位置に移動する。ボタン保持装置２０が位置調整機構２９０を備えることで、作業者は対向部材２１８の腕部２１４に対する連結位置を上下方向に調整できる。故にコロ２０４がリンク２１０を回動する時機が変化し、軸部材２３０の移動量は変化する。故にボタン保持装置２０は、ボタン浮かし棒２６０の移動量を前後方向に調整できる。軸部材２３０の移動量が変化することで、ボタン保持装置２０は、退避位置にあるボタン浮かし棒２６０の前後位置をボタン７、８の外径に対応した位置に調整できる。故にボタン保持装置２０は、ボタン浮かし棒２６０が退避位置から作用位置に移動する時に接触部２６３がボタン７、８に引っ掛かることを抑制できる。
【００９４】
作業者は、締結部材２８０を締結穴２１５から脱落しない程度に緩めた後、対向部材２１８の腕部２１４に対する連結位置を上下方向に調整するだけで、コロ２０４が腕部２１４を付勢する位置を上下方向に調整できる。作業者は、対向部材２１８の連結位置を調整した後、締結部材２８０を締結穴２１５に締結するだけで、対向部材２１８を腕部２１４に固定できる。故にボタン保持装置２０は、ボタン浮かし棒２６０の前後方向の移動量を調整する作業を容易化できる。
【００９５】
長穴２１８Ａは対向部材２１８に設け、締結穴２１５は腕部２１４に設ける。作業者は、対向部材２１８の腕部２１４に対する連結位置を上下方向に調整する時、締結部材２８０を上下動することを要しない。故にボタン保持装置２０は、ボタン浮かし棒２６０の前後方向の移動量を調整する作業を更に容易化できる。
【００９６】
ボタン保持装置２０は高さ調整機構２０１を備える。左保持部材３２と右保持部材３３が保持するボタン７，８の厚さに応じて、作業者は、ボタン浮かし棒２６０の第三連結部材２５３に対する連結位置を上下方向に調整できる。故にボタン保持装置２０は、ボタン浮かし棒２６０をボタン７，８の厚さに応じた高さに調整できる。
【００９７】
挿通穴２６１Ａはボタン浮かし棒２６０に設け、螺子穴２５３Ｄは第三連結部材２５３に設ける。作業者は、ボタン浮かし棒２６０の第三連結部材２５３に対する連結位置を上下方向に調整する時、緩めた螺子部材２９５を上下方向に移動することを要しない。
作業者は、ボタン浮かし棒２６０の退避位置を調整した後、螺子部材２９５を締結するだけで、ボタン浮かし棒２６０を第三連結部材２５３に固定できる。故にボタン保持装置２０は、ボタン浮かし棒２６０の連結位置を上下方向に調整する作業を容易化できる。
【００９８】
ボタン保持装置２０が前後位置調整機構３９０を備えることで、作業者はボタン浮かし棒２６０を特定延設方向に調整できる。ボタン保持装置２０は、保持するボタン７，８の外径に応じて、ボタン浮かし棒２６０の退避位置を適正な位置に調整できる。故にボタン保持装置２０は、ボタン浮かし棒２６０の退避位置から作用位置への移動を安定化できる。
【００９９】
作業者は、螺子部材２５５を螺子穴２５１Ｃから外れない程度に緩めた後、第三連結部材２５３を特定延設方向に移動するだけで、ボタン浮かし棒２６０が作用位置にある時の接触部２６３前端の位置を調整できる。故に、ボタン保持装置２０は、作用位置にあるボタン浮かし棒２６０の接触部２６３がボタン７の一対の穴部７Ａの間に確実に位置するよう調整できる。作業者は、ボタン浮かし棒２６０の位置を調整した後、螺子部材２５５を螺子穴２５１Ｃに締結するだけで、ボタン浮かし棒２６０を第三連結部材２５３を第一連結部材２５１に固定できる。故にボタン保持装置２０は、ボタン浮かし棒２６０の前後方向の位置を調整する作業を容易化できる。
【０１００】
軸部材２３０は押え腕６０の延設部６２よりも上方に配置する。延設部６２下方にある空間は、軸部材２３０が延設部６２よりも下方にある時に比べ、大きくなる。故にボタン保持装置２０は、ボタン７，８を縫い付ける布を、延設部６２の下方にある送り板１１に配置し易くできる。
【０１０１】
押え腕６０が待機揺動位置にある時、作業者は保持機構３０からボタン７，８を取り外す。ボタン保持装置２０は、押え腕揺動機構３００を備えるので、ボタン浮かし棒２６０を作用位置から退避位置まで移動しながら、押え腕６０を待機揺動位置まで揺動できる。故にボタン保持装置２０は、布に縫い付けたボタン７，８を保持機構３０から取外す作業を迅速化できる。
【０１０２】
モータ４０４の駆動力が、回動軸４０９、カム部材４１６を介して第一腕部材４１３に伝達すると、第一腕部材４１３は第一軸部４１０を中心に回動する。第一腕部材４１３は、第二腕部材４２２を介して、リンク部材４３０を、第二軸部４２０を中心に回動する。リンク部材４３０は、上下動部材２０２を上下方向に移動する。故にボタン保持装置２０は、モータ４０４の駆動力を、上下動部材２０２が上下方向に移動する動力に安定して変換できる。
【０１０３】
モータ４０４の駆動力は、駆動ギヤ４０４Ｂを介してギヤ４０８に伝達する。ギヤ４０８、回動軸４０９、カム部材４１６は、軸線４０９Ａを中心に一体的に回動する。カム部材４１６が回動することで、摺動部４１４がカム面４１７に対して摺動し、第一腕部材４１３は第一軸部４１０を中心に回動する。故にボタン保持装置２０は、モータ４０４の駆動力を第一腕部材４１３に安定して伝達できる。
【０１０４】
以上説明にて、基端部６１は本発明の第一端部に相当する。先端部６３は本発明の第二端部に相当する。左保持部材３２と右保持部材３３は本発明の一対の保持部材に相当する。前端部２３２は本発明の軸部材の一端部に相当する。後端部２３１は本発明の軸部材の他端部に相当する。リンク２１０は本発明の第一リンク部材に相当する。コロ２０４は本発明の付勢部に相当する。位置調整機構２９０は本発明の付勢位置調整機構に相当する。高さ調整機構２０１は本発明の第一調整機構に相当する。支持壁部２５３Ｂは本発明の第一壁部に相当する。挿通穴２６１Ａは本発明の第一挿通穴に相当する。螺子穴２５３Ｄは本発明の第一螺子穴に相当する。螺子部材２９５は本発明の第一螺子部材に相当する。前後位置調整機構３９０は本発明の第二調整機構に相当する。連結壁部２５３Ａは本発明の第二壁部に相当する。連結壁部２５１Ｂは本発明の第三壁部に相当する。挿通穴２５３Ｃは本発明の第二挿通穴に相当する。螺子穴２５１Ｃは本発明の第二螺子穴に相当する。螺子部材２５５は本発明の第二螺子部材に相当する。固定部材３３０は本発明の固定部材に相当する。第二腕部４３２は本発明の接続部に相当する。リンク部材４３０は本発明の第二リンク部材に相当する。
【０１０５】
本発明は上記実施形態に限定せず種々の変更が可能である。長穴２１８Ａは、上下方向に長径を有するが、支持軸２０７を中心とした回動方向に長径を有してもよい。作業者は締結部材２８０を緩め、対向部材２１８を長穴２１８Ａの長径方向に沿って移動する。故に作業者は対向部材２１８とコロ２０４の接触位置を上下方向に調整できる。
【０１０６】
位置調整機構２９０は、長穴２１８Ａを腕部２１４に設け、締結穴２１５を対向部材２１８に設けてもよい。該時、締結部材２８０は、後方から長穴２１８Ａに挿通し締結穴２１５に締結する。作業者は、締結部材２８０を緩め、締結部材２８０と対向部材２１８を上下動する。故に作業者は対向部材２１８とコロ２０４の接触位置を上下方向に調整できる。
【０１０７】
高さ調整機構２０１は、螺子穴２５３Ｄをボタン浮かし棒２６０に設け、挿通穴２６１Ａを支持壁部２５３Ｂに設けてもよい。該時、螺子部材２９５は、後方から挿通穴２６１Ａに挿通し、螺子穴２５３Ｄに締結する。作業者は、螺子部材２９５を緩め、螺子部材２９５とボタン浮かし棒２６０を上下動する。故に作業者はボタン浮かし棒２６０と第三連結部材２５３の連結位置を上下方向に調整できる。
【０１０８】
高さ調整機構２０１、前後位置調整機構３９０は備えなくてもよい。該時、湾曲部２６１の挿通穴２６１Ａは上下方向に長径を有さなくてよい。連結壁部２５３Ａの挿通穴２５３Ｃは、前後方向に長径を有さなくてよい。
【０１０９】
軸部材２３０は押え腕６０の延設部６２よりも下方に配置してもよい。該場合、支持部材２２０は延設部６２の下面に固定すればよい。ボタン浮かし棒２６０は湾曲部２６１を有さず、軸部材２３０の前端とボタン浮かし棒２６０の連結部２６２が押え腕６０の下方で直接連結してもよい。
【０１１０】
リンク２１０は、支持軸２０７との連結部分から下方に延びる軸連結部、軸連結部の上端部から前方へ延びる腕部を有すれば、側面視略Ｌ字型の板状部材でなく略三角形状、楕円形状等の部材であってもよい。
【符号の説明】
【０１１１】
１            ミシン
７，８        ボタン
７Ａ，８Ａ    穴部
３２        左保持部材
３３        右保持部材
６０        押え腕
６１        基端部
６２        延設部
６３        先端部
６８        連結軸
２０１      高さ調整機構
２０２      上下動部材
２０４      コロ
２０４Ａ    移動経路
２０５      移動機構
２０７      支持軸
２１０      リンク
２１２      軸連結部
２１５      締結穴
２１８Ａ    長穴
２３０      軸部材
２３１      後端部
２３２      前端部
２５０      連結部
２５１Ｂ    連結壁部
２５１Ｃ    螺子穴
２５３Ａ    連結壁部
２５３Ｂ    支持壁部
２５３Ｃ    挿通穴
２５３Ｄ    螺子穴
２５５      螺子部材
２６０      ボタン浮かし棒
２６１Ａ    挿通穴
２６３      接触部
２８０      締結部材
２９０      位置調整機構
２９５      螺子部材
３０９      固定軸
３２０      回動部材
３３０      固定部材
３３１      当接部
３５０      押え上げ機構
４００      駆動機構
４０４      モータ
４０４Ａ    出力軸
４０４Ｂ    駆動ギヤ
４０８      ギヤ
４０９      回動軸
４０９Ａ    軸線
４１０      第一軸部
４１１      第一突出部
４１２      第二突出部
４１３      第一腕部材
４１６      カム部材
４１７      カム面
４２０      第二軸部
４２２      第二腕部材
４３０      リンク部材
４３２      第二腕部
【図１】
2017064206.tif 000003
【図２】
2017064206.tif 000004
【図３】
2017064206.tif 000005
【図４】
2017064206.tif 000006
【図５】
2017064206.tif 000007
【図６】
2017064206.tif 000008
【図７】
2017064206.tif 000009
【図８】
2017064206.tif 000010
【図９】
2017064206.tif 000011
【図１０】
2017064206.tif 000012
【図１１】
2017064206.tif 000013
【図１２】
2017064206.tif 000014
【図１３】
2017064206.tif 000015
【図１４】
2017064206.tif 000016
【図１５】
2017064206.tif 000017